(57)【要約】  【課題】  少なくとも、現在市場に流通している８種類の商品陳列具の全てに取り付けることができる後付商品表示具を提供すること。  【解決手段】  商品陳列バー５１と商品陳列バー５１を固定するフックバー５２を備える既設の商品陳列具５０に脱着可能に取り付けられる後付商品表示具１０であって、フックバー５２に着脱可能に取付けられる略逆Ｕ字形状断面の係合部１３と、係合部１３に後端部が固定される商品表示具バー１１と、商品表示具バー１１の下方に位置し商品陳列バー５１に嵌合すると共に、係合部１３に後端部が固定された嵌合部１４とを有し、係合部１３は両側縁から後方に突出する左右の移動を規制する規制部材１３５及び商品陳列バー５１を挿通する開口部１５とを備える前方係合片１３１と、開口近傍に形成される開口幅調整部材１３８を備える１３３後方係合片とを有する。【選択図】        図１
0003102689.tif 000002
【実用新案登録請求の範囲】
【請求項１】
商品陳列バーと該商品陳列バーを固定するフックバーを備える既設の商品陳列具に脱着可能に取り付けられる後付商品表示具であって、該フックバーに着脱可能に取付けられる略逆Ｕ字形状断面の係合部と、該係合部に後端部が固定される商品表示具バーと、該商品表示具バーの下方に位置し該商品陳列バーに嵌合すると共に、該係合部に後端部が固定された嵌合部とを有し、該係合部は両側縁から後方に突出する左右の移動を規制する規制部材及び該商品陳列バーを挿通する開口部とを備える前方係合片と、開口近傍に形成される開口幅調整部材を備える後方係合片とを有することを特徴とする後付商品表示具。
【請求項２】
既設の商品陳列具が、フックバーと、後端が該フックバーの前方係止片に固定される商品陳列バーと、該フックバーの前方係止片と該商品陳列バーの後端間に介在する正面視円形の扁平状の固定部からなるものであって、該商品陳列具に後付商品表示具を取り付けた状態において、該後付商品表示具の係合部の規制部材の後方端面とフックバーの前方係止片が当接し、該後付商品表示具の係合部の天板部材とフックバーの天板部材が当接し、該後付商品表示具の係合部の後方係止片の裏面とフックバーの後方係止片が当接することを特徴とする請求項１記載の後付商品表示具。
【請求項３】
既設の商品陳列具が、フックバーと、該フックバーの上方に位置し後方部がフックバーの天板部材に固定される商品陳列バーからなるものであって、該商品陳列具に後付商品表示具を取り付けた状態において、該後付商品表示具の係合部の前方係合片と両側の規制部材で区画される空間の一部にフックバーの前方係止片が収容され、該後付商品表示具の係合部の開口幅調整部材とフックバーの後方係止片が当接することを特徴とする請求項１記載の後付商品表示具。
【請求項４】
既設の商品陳列具が、フックバーと、上下２本の商品陳列バーと該上下２本の商品陳列バーを連接する垂直部材である連接バーからなり、上方の陳列バーが該フックバーの上方に位置するように連接バーの上方部が前方係止片に固定されるダブル陳列バーからなるものであって、該商品陳列具に後付商品表示具を取り付けた状態において、該後付商品表示具の係合部の前方係合片と両側の規制部材で区画される空間の一部にフックバーの前方係止片が収容され、該後付商品表示具の係合部の開口幅調整部材とフックバーの後方係止片が当接することを特徴とする請求項１記載の後付商品表示具。  
【考案の詳細な説明】
【技術分野】
【０００１】
本考案は、既設のタイプの異なるほとんどの商品陳列具に脱着可能に取り付けることが可能であって、陳列商品の商品名や価格を表示する後付商品表示具に関する。
【背景技術】
【０００２】
従来、スーパーやドラッグストアー等の商品陳列棚で用いられる商品陳列具は、図１の符号５０で示されるような、商品陳列棚の左右方向に延出するバー部材（不図示）に固定されるフックバー５２と、後端がフックバー５２の前方係合片５１１に固定される商品陳列バー５１と、フックバー５２の前方係止片５１１と商品陳列バー５１の後端間に介在する正面視円形の扁平状の固定部５３からなる第１の商品陳列具、図４の符号６０で示されるような、商品陳列棚の左右方向に延出するバー部材（不図示）に固定されるフックバー５２と、フックバー５２の上方に位置し後方部６２がフックバーの天板部材５１２に固定される商品陳列バー６１からなる第２の商品陳列具、図７の符号７０で示されるような、商品陳列棚の左右方向に延出するバー部材（不図示）に固定されるフックバー５２と、段差付きで且つ上方の陳列バー７３がフックバー５２の上方に位置し後方部７５がフックバー５２の天板部材５１２に固定される商品陳列バー７１からなる第３の商品陳列具、図１０の符号８０で示されるような、商品陳列棚の左右方向に延出するバー部材（不図示）に固定されるフックバー５２と、上下２本の商品陳列バー８２、８３と上下２本の商品陳列バー８２、８３を連接する垂直部材である連接バー８４からなり、上方の陳列バー８２がフックバー５２の上方に位置するように連接バー８４の上方部が前方係止片５１１に固定されるダブル陳列バー８１からなる第４の商品陳列具が知られている。また、これらの商品陳列具の陳列バーは径５ｍｍと、径６ｍｍの２種類があり、上記形状の違いを含めて、都合８種類の商品陳列具が知られている。
【０００３】
これらの商品陳列具に陳列される（吊り下げられる）商品の価格は、例えば商品陳列棚の前方レールなどに挟まれたカード類に表示されていた。一方、２００４年、４月１日から消費税を含んだ価格表示が義務付けられるため、従来の価格表示との混乱を避けるためにも、明示的な表示が望まれている。
【考案の開示】
【考案が解決しようとする課題】
【０００４】
しかしながら、従来の商品陳列具において、商品陳列棚の前方レール部にある価格表示では明示の表示がされているとは言い難い。また、商品陳列具に別途、商品表示具を取付けることも可能ではあるが、前述の如く、多種多様の商品陳列具のそれぞれに対応する商品表示具を作製することは、製造コストを上昇させると共に、在庫管理などが煩雑となる等の問題があった。また、実用新案登録番号第３００３４０５号公報には、商品陳列用フックバー（左右に延びる角バー）へ着脱可能な取付具と、取付具より前方へ延出された支持棒（商品表示具バー）と、支持棒の先端部に設けられた商品カードを保持するカード保持部とを備える後付けカード表示具が開示されている。しかしながら、このカード表示具は取付具と商品陳列用フックバーとの係合形態は一定であるため、商品陳列用フックバーと商品陳列バーとの位置関係が異なる商品陳列具に適用すると、商品陳列バーと商品表示具バーとの位置関係も異なったものとなる。このような場合、例えば図１の符号５０で示される商品陳列具に当該カード表示具を取り付けると、商品陳列バーと商品表示具バーとの間隔（上下方向の距離）が大きすぎて、コンパクトな陳列ができなくなるという問題がある。
【０００５】
従って、本考案の目的は、少なくとも、現在市場に流通している８種類の商品陳列具の全てに取り付けることができ、商品陳列バーと商品表示具バーとの間隔を常に一定とする後付商品表示具を提供することにある。
【課題を解決するための手段】
【０００６】
かかる実情において、本考案者は鋭意検討を行った結果、本考案を完成するに至った。すなわち、本考案（１）は、商品陳列バーと該商品陳列バーを固定するフックバーを備える既設の商品陳列具に脱着可能に取り付けられる後付商品表示具であって、該フックバーに着脱可能に取付けられる略逆Ｕ字形状断面の係合部と、該係合部に後端部が固定される商品表示具バーと、該商品表示具バーの下方に位置し該商品陳列バーに嵌合すると共に、該係合部に後端部が固定された嵌合部とを有し、該係合部は両側縁から後方に突出する左右の移動を規制する規制部材及び該商品陳列バーを挿通する開口部とを備える前方係合片と、開口近傍に形成される開口幅調整部材を備える後方係合片とを有することを特徴とする後付商品表示具を提供するものである。
【０００７】
また、本考案（２）は、既設の商品陳列具が、フックバーと、後端が該フックバーの前方係止片に固定される商品陳列バーと、該フックバーの前方係止片と該商品陳列バーの後端間に介在する正面視円形の扁平状の固定部からなるものであって、該商品陳列具に後付商品表示具を取り付けた状態において、該後付商品表示具の係合部の規制部材の後方端面とフックバーの前方係止片が当接し、該後付商品表示具の係合部の天板部材とフックバーの天板部材が当接し、該後付商品表示具の係合部の後方係止片の裏面とフックバーの後方係止片が当接することを特徴とする前記後付商品表示具を提供するものである。
【０００８】
また、本考案（３）は、既設の商品陳列具が、フックバーと、該フックバーの上方に位置し後方部がフックバーの天板部材に固定される商品陳列バーからなるものであって、該商品陳列具に後付商品表示具を取り付けた状態において、該後付商品表示具の係合部の前方係合片と両側の規制部材で区画される空間の一部にフックバーの前方係止片が収容され、該後付商品表示具の係合部の開口幅調整部材とフックバーの後方係止片が当接することを特徴とする前記後付商品表示具を提供するものである。
【０００９】
また、本考案（４）は、既設の商品陳列具が、フックバーと、上下２本の商品陳列バーと該上下２本の商品陳列バーを連接する垂直部材である連接バーからなり、上方の陳列バーが該フックバーの上方に位置するように連接バーの上方部が前方係止片に固定されるダブル陳列バーからなるものであって、該商品陳列具に後付商品表示具を取り付けた状態において、該後付商品表示具の係合部の前方係合片と両側の規制部材で区画される空間の一部にフックバーの前方係止片が収容され、該後付商品表示具の係合部の開口幅調整部材とフックバーの後方係止片が当接することを特徴とする前記後付商品表示具を提供するものである。
【考案の効果】
【００１０】
また、本考案の後付商品表示具は、少なくとも、現在市場に流通している８種類の商品陳列具の全てに容易に取り付けることができる。このため、タイプの異なる商品陳列毎の商品表示具を作製しなくともよく、コストの上昇を極力抑制することができると共に、在庫管理も容易である。また、商品陳列バーと商品表示具バーとの間隔が一定で近接しているため、商品陳列形態を多段とする場合、コンパクト化できるか、あるいは段数を多くとることができる。
【考案を実施するための最良の形態】
【００１１】
本実施の形態における後付商品表示具を図１及び図１３を参照して説明する。図１は既設の商品陳列具５０に取り付ける前の状態の後付商品表示具１０の斜視図、図１３は図１の矢印Ａ方向から見た部分図である。本例の後付商品表示具１０は、商品陳列バーと商品陳列バーを固定するフックバーを備える既設の商品陳列具に脱着可能に取り付けられる後付タイプの商品表示具である。フックバーは、通常、商品陳列棚の左右方向に延出するバー部材（不図示）に固定されるものである。なお、本明細書において、前方とは既設の商品陳列具に後付商品表示具を取り付けた際、商品表示が表れる側、すなわち顧客側を言い、後方とはその反対側を言う。
【００１２】
図１において、後付商品表示具１０は、フックバー５２に着脱可能に取付けられる略逆Ｕ字形状断面の係合部１３と、係合部１３に後端部が固定される商品表示具バー１１と、商品表示具バー１１の下方に位置し商品陳列バー５１に嵌合すると共に、係合部１３に後端部が固定された嵌合部１４とを有する。また、後付商品表示具１０の係合部１３は、両側縁から後方に突出する左右の移動を規制する規制部材１３５及び商品陳列バー５１を挿通する開口部１５とを備える前方係合片１３１と、開口近傍に形成される開口幅調整部材１３４を備える後方係合片１３３とを有する。
【００１３】
商品表示具バー１１は丸棒部材であり、その前方端には表示部１２が所定の角度で回動自在に取り付けられ、後方端は係合部の天板部材１３２に固定されている連結部１３７に接続されている。
【００１４】
係合部１３は、前方係合片１３１と天板部材１３２と後方係合片１３３から形成される略逆Ｕ字形状断面のものである。前方係合片１３１は、板状物の両側縁から後方に突出する側板である規制部材１３５、１３５を有し、中央部の下方には商品陳列バー５１を挿通する開口部１５を有する。規制部材１３５、１３５の突出幅（図１３中、符号Ｚ）は、扁平状固定部５３の高さＹと同じか、あるいはそれよりやや大きい寸法のものである。すなわち、規制部材１３５、１３５は、その後方端面１３６、１３６が既設商品陳列具のフックバー５２の前方係止片５１１に当接すると共に、天板部材１３２及び後方係合片１３３との協働作用によりフックバー５２に後付商品表示具１０を固定する作用を奏するものである。また、前方係合片１３１と規制部材１３５、１３５とで区画される空間の一部にフックバー５２の前方係止片５１１が収容され、前方係合片１３１と後方係合片１３３との協働作用によりフックバー５２に商品表示具１０を固定すると共に、フックバー５２に対して、商品表示具１０が左右に移動することを規制する作用をも奏する。また、開口部１５の開口寸法（開口幅）は、商品陳列バー５１の径よりも僅かに大きなものとすることが、商品陳列具へ商品表示具１０の取り付けを容易にすると共に、取付け後の安定性を高めることができる点で好ましい。
【００１５】
後方係合片１３３は、平板状物であって、その開口近傍（下方部）には開口幅調整部材１３４を備える。すなわち、後方係合片１３３の内側面（裏面）は、開口幅調整部材１３４を除いて、高さ寸法Ｈ１の裏面平坦部１３９を備える。この裏面平坦部１３９における高さ寸法Ｈ１は既設の８種の商品陳列具の後方係止片の高さ寸法よりやや大きいものである。また、開口幅調整部材１３４の頂部は平坦面１３８であることが、第２〜第４の取付け形態におけるフックバー５２と係合部１３との固定が安定する。また、図３及び図１３に示すように、開口幅調整部材１３４の突出寸法Ｚ（前後方向の幅寸法）は、規制部材１３５、１３５の突出寸法と略同一であり、前方係合片１３１の内面と開口幅調整部材１３４の頂部の平坦面１３８間の距離Ｘは、規制部材の後方端面１３６、１３６と後方係合片１３３の内面間の距離Ｘと同一である。
【００１６】
嵌合部１４は、商品表示具バー１１の下方に位置し、開口部１５の上方から前方へ延出すると共に、補強リブ１４３で係合部１３に固定されている。嵌合部１４は筒状物の径方向に対して直角の方向に沿って一部を切り欠き開口を形成すると共に、開口部の両側縁を外側に屈曲させて当該部分に弾発性を持たせ、径５ｍｍと径６ｍｍの商品陳列バーの嵌合を容易にしたものである。
【００１７】
本例の後付商品表示具１０は、既設の８種の商品陳列具に取り付けることができる。既設の８種の商品陳列具は、商品陳列バーの線径が５ｍｍと６ｍｍの２種を含むものであるため、全体形状が異なるのは４種である。以下に既設商品陳列具と後付商品表示具の取り付けの形態を図１〜図１２を参照して説明する。図１〜図３は第１の取り付け形態に係り、図４〜図６は第２の取り付け形態に係り、図７〜図９は第３の取り付け形態に係り、図１０〜図１２は第４の取り付け形態に係るものである。
【００１８】
図１は第１の取り付け形態における既設の商品陳列具５０に取り付ける前の状態の後付商品表示具１０の斜視図、図２は、第１の取り付け形態における既設の商品陳列具５０に取り付けた後の状態の後付商品表示具１０の斜視図、図３（Ａ）は既設の第１の商品陳列具を横から見た図、図３（Ｂ）は第１の取り付け形態の取り付け後の商品表示具を横から見た図、図４は第２の取り付け形態における既設の商品陳列具６０に取り付ける前の状態の後付商品表示具１０の斜視図、図５は、第２の取り付け形態における既設の商品陳列具６０に取り付けた後の状態の後付商品表示具１０の斜視図、図６（Ａ）は既設の第２の商品陳列具を横から見た図、図６（Ｂ）は第２の取り付け形態の取り付け後の商品表示具を横から見た図、図７は第３の取り付け形態における既設の商品陳列具７０に取り付ける前の状態の後付商品表示具１０の斜視図、図８は、第３の取り付け形態における既設の商品陳列具７０に取り付けた後の状態の後付商品表示具１０の斜視図、図９（Ａ）は既設の第３の商品陳列具を横から見た図、図９（Ｂ）は第３の取り付け形態の取り付け後の商品表示具を横から見た図、図１０は第４の取り付け形態における既設の商品陳列具８０に取り付ける前の状態の後付商品表示具１０の斜視図、図１１は、第４の取り付け形態における既設の商品陳列具８０に取り付けた後の状態の後付商品表示具１０の斜視図、図１２（Ａ）は既設の第４の商品陳列具を横から見た図、図１２（Ｂ）は第４の取り付け形態の取り付け後の商品表示具を横から見た図である。
【００１９】
第１の取り付け形態における既設の商品陳列具５０は、フックバー５２と、後端がフックバー５２の前方係合片５１１に固定される商品陳列バー５１と、フックバー５２の前方係止片５１１と商品陳列バー５１の後端間に介在する正面視円形の扁平状の固定部５３からなる。フックバー５２は、前方係止片５１１と天板部材５１２と後方係止片５１３からなり、後方係止片５１３の高さ寸法は、前方係止片５１１の高さ寸法に比べて短く、図中Ｈ２であり、本例の商品表示具１０の係合部の後方係合片１３３の裏面平坦面１３９の高さＨ１よりやや小さい寸法である。また、前方係止片５１１の幅寸法、すなわちフックバー５２の幅寸法は、本例の商品表示具１０の係合片１３の幅寸法と略同じである。また、扁平状の固定部５３の径寸法は、本例の商品表示具１０の係合部の前方係止片の両側の規制部材１３５間の寸法よりやや小さく、扁平状の固定部５３の突出寸法Ｙは、本例の商品表示具１０の係合部の開口幅調整部材１３４の突出寸法と略同じである。
【００２０】
第１の取り付け形態における既設の商品陳列具５０に後付商品表示具１０を取り付けた状態は、図２、図３（Ｂ）及び図１４に示すように、後付商品表示具１０の係合部１３の規制部材の後方端面１３６とフックバー５２の前方係止片５１１が当接し、後付商品表示具１０の係合部１３の天板部材１３２とフックバー５２の天板部材５１２が当接し、後付商品表示具１０の係合部１３の後方係止片１３３の裏面の平坦部１３９とフックバー５２の後方係止片５１３が当接する。扁平状の固定部５３は、前方係合片１３１と規制部材１３５、１３５とで区画される空間内に収容された状態となっている。また、後付商品表示具１０の嵌合部１４は既設商品陳列具５０の商品陳列バー５１に嵌合する。なお、図１４中、商品陳列具は二点鎖線で示した。この第１の取り付け形態によれば、水平方向に回転させる外力が作用しても、後付商品表示具１０の係合部１３の天板部材１３２とフックバー５２の天板部材５１２が当接していること、及び嵌合部１４が商品陳列バー５１に固定されているため、当該外力に対抗することができ、固定が安定する。
【００２１】
第２の取り付け形態における既設の商品陳列具６０の図４〜図６において、図１〜図３と同一構成要素には同一符号を付してその説明を省略し、異なる点について主に説明する。商品陳列具６０における商品陳列バー６１は、フックバー５２の上方に位置し後方部６２がフックバー５２の天板部材５１２に固定されるものである。また、第２の商品陳列具６０におけるフックバー５２の幅寸法は、第１の商品陳列具５０のフックバーの幅寸法より小さくなっている。
【００２２】
第２の取り付け形態における既設の商品陳列具６０に後付商品表示具１０を取り付けた状態は、図５及び図６（Ｂ）に示すように、後付商品表示具１０の係合部１３の前方係合片１３１と両側の規制部材１３５で区画される空間の下方部分にフックバー５２の前方係止片５１１が収容され、後付商品表示具１０の係合部５２の開口幅調整部材１３４とフックバー５２の後方係止片５１３が当接する。この第２の取り付け形態によれば、水平方向に回転させる外力が作用しても、後付商品表示具１０の係合部１３の規制部材１３５が、前方係止片５１１に嵌合して商品表示具１０の左右の移動を規制すると共に、嵌合部１４が商品陳列バー６１に固定されているため、当該外力に対抗することができ、固定が安定する。
【００２３】
第３の取り付け形態における既設の商品陳列具７０の図７〜図９において、図４〜図６と同一構成要素には同一符号を付してその説明を省略し、異なる点について主に説明する。すなわち、商品陳列具７０において、商品陳列具６０と異なる点は、商品陳列バー７１が長さ方向の中間点で下方に次いで前方へ屈曲して全体形状が段差付きバーとなり、上段陳列部７３と下段陳列部７２が形成された点にある。なお、上段陳列部７３の先端部に固定される球状突起７４は上段陳列部７３に陳列された商品が下段陳列部７２へ移動することを防止するものである。また、商品陳列バーの先端の表示部１２ａは２種類の陳列商品の価格を表示するため、幅広の表示部となっている。第３の取り付け形態における既設の商品陳列具７０に後付商品表示具１０を取り付けた状態は、図８及び図９（Ｂ）に示すように、第２の取り付け形態の場合と同様である。従って、第３の取り付け形態においても、第２の取り付け形態と同様に、取り付けが容易で安定した固定ができる。
【００２４】
第４の取り付け形態における既設の商品陳列具８０の図１０〜図１２において、図４〜図６と同一構成要素には同一符号を付してその説明を省略し、異なる点について主に説明する。すなわち、商品陳列具８０において、商品陳列具６０と異なる点は、商品陳列バー８１が、上下２本の商品陳列バー８２、８３と、上下２本の商品陳列バー８２、８３を連接する垂直部材である連接バー８４からなり、上方の陳列バー８２がフックバー５２の上方に位置するように連接バー８４の上方部８５が前方係止片５１１に固定されるダブル陳列バーとなった点にある。フックバー５２に対する上方の陳列バー８２の垂直方向における位置は、第２の商品陳列具６０と同じ位置である。第４の取り付け形態における既設の商品陳列具８０に後付商品表示具１０を取り付けた状態は、図１１及び図１２（Ｂ）に示すように、第２の取り付け形態の場合と同様である。従って、第４の取り付け形態においても、第２の取り付け形態と同様に、取り付けが容易で安定した固定ができる。
【図面の簡単な説明】
【００２５】
【図１】第１の取り付け形態における既設の商品陳列具５０に取り付ける前の状態の後付商品表示具１０の斜視図である。
【図２】第１の取り付け形態における既設の商品陳列具５０に取り付けた後の状態の後付商品表示具１０の斜視図である。
【図３（Ａ）】既設の第１の商品陳列具を横から見た図である。
【図３（Ｂ）】第１の取り付け形態の取り付け後の商品表示具を横から見た図である。
【図４】第２の取り付け形態における既設の商品陳列具６０に取り付ける前の状態の後付商品表示具１０の斜視図である。
【図５】第２の取り付け形態における既設の商品陳列具６０に取り付けた後の状態の後付商品表示具１０の斜視図である。
【図６（Ａ）】既設の第２の商品陳列具を横から見た図である。
【図６（Ｂ）】第２の取り付け形態の取り付け後の商品表示具を横から見た図である。
【図７】第３の取り付け形態における既設の商品陳列具７０に取り付ける前の状態の後付商品表示具１０の斜視図である。
【図８】第３の取り付け形態における既設の商品陳列具７０に取り付けた後の状態の後付商品表示具１０の斜視図である。
【図９（Ａ）】既設の第３の商品陳列具を横から見た図である。
【図９（Ｂ）】第３の取り付け形態の取り付け後の商品表示具を横から見た図である。
【図１０】第４の取り付け形態における既設の商品陳列具８０に取り付ける前の状態の後付商品表示具１０の斜視図である。
【図１１】第４の取り付け形態における既設の商品陳列具８０に取り付けた後の状態の後付商品表示具１０の斜視図である。
【図１２（Ａ）】既設の第４の商品陳列具を横から見た図である。
【図１２（Ｂ）】第４の取り付け形態の取り付け後の商品表示具を横から見た図である。
【図１３】図１の矢印Ａから見た一部を示す図である。
【図１４】図１３において、後付商品表示具が取り付けられた状態を示す図である。
【符号の説明】
【００２６】
１０  後付商品表示具
１１  商品表示具バー
１２、１２ａ  表示部
１３  係合部
１４  嵌合部
１５  開口部
５０  第１の商品陳列具
５１、６１、７１、８１  商品陳列バー
５２  フックバー
５３  扁平状固定部
６０  第２の商品陳列具
７０  第３の商品陳列具
８０  第４の商品陳列具
１３１  前方係合片
１３２  天板部材
１３３  後方係合片
１３４  開口幅調整部材
１３５  規制部材
１３６  後方端面
１３７  連結部
１３８  開口調整部材
１３９  裏面平坦部
５１１  前方係合片
５１２  天板部材
５１３  後方係合部
【図１】
0003102689.tif 000003
【図２】
0003102689.tif 000004
【図３（Ａ）】
0003102689.tif 000005
【図３（Ｂ）】
0003102689.tif 000006
【図４】
0003102689.tif 000007
【図５】
0003102689.tif 000008
【図６（Ａ）】
0003102689.tif 000009
【図６（Ｂ）】
0003102689.tif 000010
【図７】
0003102689.tif 000011
【図８】
0003102689.tif 000012
【図９（Ａ）】
0003102689.tif 000013
【図９（Ｂ）】
0003102689.tif 000014
【図１０】
0003102689.tif 000015
【図１１】
0003102689.tif 000016
【図１２（Ａ）】
0003102689.tif 000017
【図１２（Ｂ）】
0003102689.tif 000018
【図１３】
0003102689.tif 000019
【図１４】
0003102689.tif 000020